(57)【要約】【課題】  大型や小型のフード無し衣類を吊るしたり、フード付き衣類を吊るしたりす衣衣類用の多機能ハンガーを提供する。【解決手段】  ハンガー本体の腕部２０に沿ってスライダー５０をスライド可能に備えて、そのスライダー５０を腕部２０に沿って左右にスライドさせる。そして、腕部２０とスライダー５０との組み合わせ部分の長さを、衣類の肩幅に合わせて、調整する。また、そのスライダー５０をハンガー本体３０上方に起立させて、その起立させたスライダー５０にフード８２を引き掛ける。そして、そのフード８２がハンガー本体３０に吊るす衣類の肩部８４に重なり合うのを防ぐ。【選択図】図３
2010178811.tif 000002
【特許請求の範囲】
【請求項１】
中央から上方に伸びる掛け止め具と、中央から左右に伸びる腕部とを有するハンガー本体と、該ハンガー本体の左右の腕部に沿ってそれぞれ独立させてスライド可能に配置されたスライダーであって、その外端を、腕部先方に所定長さ突出させたり、腕部先端とほぼ同じ位置か又はそれよりも内側に引っ込めたり可能なスライダーと、該スライダーをハンガー本体上方に起立させたり、その起立させたスライダーをハンガー本体方向に倒して、ハンガー本体の腕部に沿ってスライド可能な状態に復帰させたりするスライダー起立手段とが備えられたことを特徴とする衣類用の多機能ハンガー。
【請求項２】
前記スライダー起立手段によりスライダーをハンガー本体上方に起立させた状態において、そのスライダーをハンガー本体上方に起立させた状態に離脱可能に保持するスライダー保持手段が備えられたことを特徴とする請求項１に記載の衣類用の多機能ハンガー。
【発明の詳細な説明】
【技術分野】
【０００１】
本発明は、大型や小型のフード無し衣類に加えて、フード付き衣類をも吊り下げ可能な、衣類用の多機能ハンガーに関する。
【背景技術】
【０００２】
例えば、特開２００５−２７０５９２号公報（特許文献１）記載のような、衣類の肩部を引き掛ける左右の腕部を伸縮可能なハンガーが、知られている。このハンガーにおいては、コート類等の大型や子供用の小型の衣類の肩幅に合わせて、その左右の腕部を伸縮させることができる。そし、その伸縮調整した左右の腕部に、大型や小型の衣類を、その肩部に皺を生じさせずに、引き伸した状態にして吊り下げることができる。
【０００３】
また、例えば、特開２０００−１５３０９５号公報（特許文献２）記載のような、フード付き衣類のフードを引き掛けるワイヤが備えられたハンガーが、提案されている。このハンガーにおいては、その上方に円弧状に起立するワイヤにフードを押し広げた状態にして引き掛けることができる。そして、そのフードが、ハンガーに吊り下げられた衣類の肩部に重なり合うのを、防ぐことができる。
【０００４】
さらに、例えば、特開２００６−１９８１８２号公報（特許文献３）記載のような、フード付き衣類のフードを引き掛けるフック付き棒がハンガー本体に起立させたり倒したり可能に備えられたハンガーも、提案されている。このハンガーにおいては、そのフック付き棒をハンガー本体上方に起立させて、その起立させたフック付き棒に、フード付き衣類のフードを引き掛けることができる。そして、そのフードが、ハンガー本体に吊り下げる衣類の肩部に重なり合うのを、防ぐことができる。また、その起立させたフック付き棒をハンガー本体方向に倒して、そのハンガー本体にフード無し衣類を、フック付き棒に邪魔されずに、吊り下げることができる。
【先行技術文献】
【特許文献】
【０００５】
【特許文献１】特開２００５−２７０５９２号公報
【特許文献２】特開２０００−１５３０９５号公報
【特許文献３】特開２００６−１９８１８２号公報
【発明の概要】
【発明が解決しようとする課題】
【０００６】
しかしながら、上述のように、大型や小型の衣類を、その肩部に皺を生じさせずに吊り下げ可能なハンガーや、フード付き衣類を、そのフードが衣類の肩部に重なり合わないように吊り下げ可能なハンガーは、存在したり、提案されたりしているが、両者兼用のハンガーは、知られていない。
【０００７】
そのため、水洗い等した大型や小型のフード無し衣類に加えて、水洗い等したフード付き衣類を自然乾燥等させる際には、上記２種類の異なるハンガーを用意しなければならなかった。そして、その分、ハンガーの調達費用が嵩んだ。
【０００８】
また、その水洗い等した大型や小型のフード無し衣類や、フード付き衣類の一方を自然乾燥等させる際には、上記２種類の異なるハンガーのいずれか一方のハンガーは、使用されずに、そのまま無駄に放置されることが多かった。
【０００９】
本発明は、斯かる実情に鑑みて開発されたものであって、水洗い等した大型や小型のフード無し衣類を自然乾燥等させる際に利用できると共に、水洗い等したフード付き衣類を自然乾燥等させる際にも有効利用できる、両者兼用の多機能ハンガーを提供しようとするものである。
【課題を解決するための手段】
【００１０】
本発明の多機能ハンガーには、中央から上方に伸びる掛け止め具と、中央から左右に伸びる腕部とを有するハンガー本体の左右の腕部に沿って、スライダーがそれぞれ独立させてスライド可能に備えられている。そして、そのスライダーの外端を、腕部先方に所定長さ突出させたり、腕部先端とほぼ同じ位置か又はそれよりも内側に引っ込めたりさせることができる。そして、その伸縮調整した左右の腕部とそれに備えられたスライダーとの組み合わせ部分に、大型や小型のフード無し衣類を、その肩部に皺を生じさせずに、適度に引き伸した状態にして、吊り下げることができる。
【００１１】
また、本発明の多機能ハンガーには、スライダーをハンガー本体上方に起立させたり、その起立させたスライダーをハンガー本体方向に倒して、ハンガー本体の腕部に沿ってスライド可能な状態に復帰させたりするスライダー起立手段が備えられている。そして、フード付き衣類をハンガーに吊り下げる際には、スライダー起立手段を用いて、スライダーを、ハンガー本体上方に起立させた状態とすることができる。そして、その起立させたスライダーに、フードを押し広げた状態にして引き掛けることができる。そして、そのフードが衣類の肩部に重なり合わないようにして、フード付き衣類をハンガー本体に吊り下げることができる。他方、大型や小型のフード無し衣類をハンガーに吊り下げる際には、スライダーを、ハンガー本体方向に倒して、ハンガー本体の腕部に沿ってスライド可能な状態に復帰させることができる。そして、そのスライダーに邪魔されずに、上述のようにして、スライダーの外端を、腕部先方に所定長さ突出させたり、腕部先端とほぼ同じ位置か又はそれよりも内側に引っ込めたりできる。そして、その伸縮調整した左右の腕部とそれに備えられたスライダーとの組み合わせ部分に、大型や小型の衣類を、その肩部に皺を生じさせずに、適度に引き伸した状態にして、吊り下げることができる。
【００１２】
本発明の多機能ハンガーにおいては、スライダー起立手段を用いて、スライダーをハンガー本体上方に起立させた状態において、そのスライダーをハンガー本体上方に起立させた状態に離脱可能に保持するスライダー保持手段が備えられたものとすると良い。そして、そのスライダー保持手段を用いて、スライダー起立手段によりハンガー本体上方に起立させた状態としたスライダーが、それに引き掛けられたフードに押されて、ハンガー本体方向に倒れるのを、防ぐと良い。そして、そのスライダーに引き掛けられたフードが、ハンガー本体に吊り下げられた衣類の肩部に重なり合うのを、防ぐと良い。
【発明の効果】
【００１３】
本発明の多機能ハンガーによれば、水洗い等した大型や小型のフード無し衣類を自然乾燥等させる際に、有効利用できる。それと共に、水洗い等したフード付き衣類を自然乾燥等させる際にも、有効利用できるという優れた効果がある。
【図面の簡単な説明】
【００１４】
【図１】本発明のハンガーの正面図である。
【図２】本発明のハンガーの使用状態説明図である。
【図３】本発明のハンガーの使用状態説明図である。
【図４】本発明のハンガーの一部拡大構造説明図である。
【図５】本発明のハンガーの一部拡大構造説明図である。
【発明を実施するための形態】
【００１５】
図１〜図５は、本発明の多機能ハンガーの好適な実施の形態を示している。以下に、この多機能ハンガーを説明する。
【００１６】
このハンガーには、図１に示されたように、中央から上方に伸びる掛け止め具１０と、中央から左右に伸びる腕部２０とを有するハンガー本体３０が備えられている。掛け止め具１０は、上端にフック１２を持つ棒状をしていて、ワイヤを曲げて形成されている。左右の腕部２０は、横に長いほぼ帯状をしていて、その内端同士が、山型状をした中央連結部２２を介して、一連に連結されている。左右の腕部２０及び中央連結部２２は、プラスチックを用いて、一体成形されている。掛け止め具１０下端は、中央連結部２２に差し込まれて抜け出ぬように係止されている。そして、掛け止め具１０が、その中央連結部２２から上方に垂直に起立した状態で伸びている。
【００１７】
左右の腕部２０に沿っては、横長のスライダー５０が、それぞれ独立させてスライド可能に備えられている。スライダー５０は、その断面がコの字状をしていて、図５に示されたように、腕部２０の上端周囲を覆うようにして、その腕部の肩２４に沿ってスライド可能に係止されている。
【００１８】
断面がコの字状をしたスライダー５０の内端空間には、図５に示されたように、軸棒６０が架け渡されていて、その軸棒６０中途部が、腕部中央の横長の穴２６に挿通、係止されている。そして、スライダー５０を腕部の肩２４に沿ってスライドさせると共に、そのスライダー内端空間に架け渡された軸棒６０を腕部中央の穴２６に沿ってスライドさせて、スライダー５０を腕部２０に沿って左右にスライドさせる構造をしている。その際には、スライダー内端空間に架け渡された軸棒６０を腕部中央の穴２６に係止させて、スライダー５０が腕部の肩２４から脱落するのを防ぐ構造をしている。
【００１９】
また、スライダー５０内端空間に架け渡されて、腕部中央の穴２６に挿通、係止された軸棒６０は、スライダー５０を、図３及び図４に示されたように、その内端を中心に回転させて、ハンガー本体３０上方に起立させたり、その起立させたスライダー５０を、その内端を中心に回転させて、ハンガー本体３０方向に倒して、ハンガー本体の腕部２０に沿ってスライド可能な状態に復帰させたりするスライダー起立手段７０を構成している。このスライダー起立手段７０によれば、腕部の肩２４に沿って係止されたスライダー５０の外端側を、そのスライダー５０の内端空間に架け渡されて腕部中央の穴２６に挿通、係止された軸棒６０を中心に、腕部の肩２４から離脱させて、ハンガー本体３０上方に回転させて起立させることができる。また、その起立させたスライダー５０の外端側を、図５に示されたように、そのスライダー５０の内端空間に架け渡されて腕部中央の穴２６に挿通、係止された軸棒６０を中心に、ハンガー本体３０方向に回転させて倒して、その断面コの字状をしたスライダー５０を、ハンガー本体の腕部２０上端に被せることができる。そして、そのスライダー５０を腕部の肩２４に沿ってスライド可能な状態に係止させることができる。
【００２０】
図１〜図５に示されたハンガーは、以上のように構成されていて、このハンガーによれば、その掛け止め具上端のフック１２を竿等に掛けて、掛け止め具１０下端に係止されたハンガー本体３０を、竿等に吊り下げることができる。
【００２１】
このハンガーに大型や小型のフード無し衣類を吊り下げる際には、図２に示されたように、スライダー５０を、腕部の肩２４に沿ってスライドさせると共に、そのスライダー内端空間に架け渡された軸棒６０を腕部中央の横長の穴２６に沿ってスライドさせる。そして、スライダー５０を腕部２０に沿って左右にスライドさせる。その際には、スライダー内端空間に架け渡された軸棒６０を腕部中央の穴２６に係止させて、スライダー５０が腕部の肩２４から脱落するのを防ぐ。そして、そのスライダー５０の外端を、衣類の肩幅に合わせて、腕部２０先方に所定長さ突出させたり、腕部２０先端とほぼ同じ位置か又はそれよりも内側に引っ込めたりする。そして、その伸縮調整した左右の腕部２０とそれに備えられたスライダー５０との組み合わせ部分に、大型や小型のフード無し衣類を、その肩部に皺を生じさせずに、適度に引き伸した状態にして、掛けて吊り下げる。
【００２２】
また、フード付き衣類をハンガーに吊り下げる際には、図３に示されたように、スライダー５０の外端側を、そのスライダー５０の内端空間に架け渡されて腕部中央の穴２６に挿通、係止された軸棒６０を中心に、腕部の肩２４から離脱させて、ハンガー本体３０上方に回転させて起立させる。そして、そして、その起立させたスライダー５０に、図３に示されたように、フード８２を押し広げた状態にして引き掛ける。そして、そのフード８２が衣類の肩部８４に重なり合わないようにして、フード付き衣類８０をハンガー本体３０に吊り下げる。
【００２３】
他方、大型や小型のフード無し衣類をハンガーに吊り下げる際には、その起立させたスライダー５０の外端側を、図１と図５に示されたように、そのスライダー５０の内端空間に架け渡されて腕部中央の穴２６に挿通、係止された軸棒６０を中心に、ハンガー本体３０方向に回転させて倒して、その断面コの字状をしたスライダー５０を、ハンガー本体の腕部２０上端に被せた状態とする。そして、そのスライダー５０を腕部の肩２４に沿って係止させて、そのスライダー５０を腕部２０に沿ってスライド可能な状態に復帰させる。そして、そのスライダー５０がハンガー本体３０に吊るす衣類の邪魔にならないようにする。次いで、そのハンガー本体の左右の腕部２０とその腕部上端に被せたスライダー５０との組み合わせ部分に衣類の肩部を掛けて吊るす。また、その吊るす衣類が大型や小型の場合は、図２に示されたように、スライダー５０の外端を、その衣類の肩幅に合わせて、腕部２０先方に所定長さ突出させたり、腕部２０先端とほぼ同じ位置か又はそれよりも内側に引っ込めたりする。そして、その伸縮調整した左右の腕部とそれに備えられたスライダー５０との組み合わせ部分に、大型や小型の衣類を、その肩部に皺を生じさせずに、適度に引き伸した状態にして、吊るす。
【００２４】
このハンガーには、スライダー起立手段７０によりスライダー５０を回転させてハンガー本体３０上方に起立させた状態において、そのスライダー５０をハンガー本体３０上方に起立させた状態に離脱可能に保持するスライダー保持手段９０が備えられている。スライダー保持手段９０は、図４に示されたように、スライダー５０をハンガー本体３０上方に起立させた状態において、そのスライダーの内端空間に架け渡された軸棒６０を、腕部中央の穴２６の内端側の腕部部分に腕部中央の穴２６に連通させて設けられた係止穴２８に離脱可能に係止させると共に、スライダー５０の内端側のスライダー天井壁部分に設けられた切り欠き溝５２内側に、ハンガー本体の中央連結部２２側縁を挟み込んで離脱可能に係止させる構造をしている。そして、そのハンガー本体３０上方に起立させた状態としたスライダー５０が、それに引き掛けられたフード８２に押されて、ハンガー本体３０方向に回転して倒れるのを、防ぐ構造をしている。そして、そのスライダー５０に引き掛けられたフード８２が、ハンガー本体３０に吊り下げられた衣類の肩部８４に重なり合うのを、防げるようにしている。
【００２５】
なお、スライダー保持手段９０は、場合によっては、設けなくとも良い。その場合も、そのハンガー本体３０上方に起立させた状態としたスライダー５０に、フード付き衣類のフード８２を引き掛けることができる。そして、そのスライダー５０に引き掛けられたフード８２が、ハンガー本体３０に吊り下げられた衣類の肩部８４に重なり合うのを、防ぐことができる。
【産業上の利用可能性】
【００２６】
本発明の多機能ハンガーは、大型や小型のフード無し衣類や、フード付き衣類を、皺を生じさせないようにして、クローゼット等に吊り下げて収納する際にも利用することができる。
【符号の説明】
【００２７】
１０  掛け止め具
１２  フック
２０  腕部
２２  中央連結部
２４  腕部の肩
２６  腕部中央の穴
２８  係止穴
３０  ハンガー本体
５０  スライダー
５２  切り欠き溝
６０  軸棒
７０  スライダー起立手段
８０  衣類
８２  フード
８４  衣類の肩部
９０  スライダー保持手段
【図１】
2010178811.tif 000003
【図２】
2010178811.tif 000004
【図３】
2010178811.tif 000005
【図４】
2010178811.tif 000006
【図５】
2010178811.tif 000007
【手続補正書】
【提出日】平成22年5月4日(2010.5.4)
【手続補正１】
【補正対象書類名】特許請求の範囲
【補正対象項目名】全文
【補正方法】変更
【補正の内容】
【特許請求の範囲】
【請求項１】
中央から上方に伸びる掛け止め具と、中央から左右に伸びる腕部とを有するハンガー本体と、該ハンガー本体の左右の腕部に沿ってそれぞれ独立させてスライド可能に配置されたスライダーであって、その外端を、腕部先方に所定長さ突出させたり、腕部先端とほぼ同じ位置か又はそれよりも内側に引っ込めたり可能なスライダーと、該スライダーをハンガー本体上方に起立させたり、その起立させたスライダーをハンガー本体方向に倒して、ハンガー本体の腕部に沿ってスライド可能な状態に復帰させたりするスライダー起立手段と、該スライダー起立手段によりスライダーをハンガー本体上方に起立させた状態において、そのスライダーをハンガー本体上方に起立させた状態に離脱可能に保持するスライダー保持手段とが備えられ、
該スライダー保持手段は、前記スライダー起立手段によりスライダーをハンガー本体上方に起立させた状態において、そのスライダーの内端空間に架け渡された軸棒を、腕部中央の穴の内端側の腕部部分に腕部中央の穴に連通させて設けられた係止穴に離脱可能に係止させると共に、スライダーの内端側のスライダー天井壁部分に設けられた切り欠き溝内側に、ハンガー本体の中央連結部側縁を挟み込んで離脱可能に係止させる構造をしていることを特徴とする衣類用の多機能ハンガー。
【手続補正２】
【補正対象書類名】明細書
【補正対象項目名】全文
【補正方法】変更
【補正の内容】
【発明の詳細な説明】
【技術分野】
【０００１】
本発明は、大型や小型のフード無し衣類に加えて、フード付き衣類をも吊り下げ可能な、衣類用の多機能ハンガーに関する。
【背景技術】
【０００２】
例えば、特開２００５−２７０５９２号公報（特許文献１）記載のような、衣類の肩部を引き掛ける左右の腕部を伸縮可能なハンガーが、知られている。このハンガーにおいては、コート類等の大型や子供用の小型の衣類の肩幅に合わせて、その左右の腕部を伸縮させることができる。そして、その伸縮調整した左右の腕部に、大型や小型の衣類を、その肩部に皺を生じさせずに、引き伸した状態にして吊り下げることができる。
【０００３】
また、例えば、特開２０００−１５３０９５号公報（特許文献２）記載のような、フード付き衣類のフードを引き掛けるワイヤが備えられたハンガーが、提案されている。このハンガーにおいては、その上方に円弧状に起立するワイヤにフードを押し広げた状態にして引き掛けることができる。そして、そのフードが、ハンガーに吊り下げられた衣類の肩部に重なり合うのを、防ぐことができる。
【０００４】
さらに、例えば、特開２００６−１９８１８２号公報（特許文献３）記載のような、フード付き衣類のフードを引き掛けるフック付き棒がハンガー本体に起立させたり倒したり可能に備えられたハンガーも、提案されている。このハンガーにおいては、そのフック付き棒をハンガー本体上方に起立させて、その起立させたフック付き棒に、フード付き衣類のフードを引き掛けることができる。そして、そのフードが、ハンガー本体に吊り下げる衣類の肩部に重なり合うのを、防ぐことができる。また、その起立させたフック付き棒をハンガー本体方向に倒して、そのハンガー本体にフード無し衣類を、フック付き棒に邪魔されずに、吊り下げることができる。
【先行技術文献】
【特許文献】
【０００５】
【特許文献１】特開２００５−２７０５９２号公報
【特許文献２】特開２０００−１５３０９５号公報
【特許文献３】特開２００６−１９８１８２号公報
【発明の概要】
【発明が解決しようとする課題】
【０００６】
しかしながら、上述のように、大型や小型の衣類を、その肩部に皺を生じさせずに吊り下げ可能なハンガーや、フード付き衣類を、そのフードが衣類の肩部に重なり合わないように吊り下げ可能なハンガーは、存在したり、提案されたりしているが、両者兼用のハンガーは、知られていない。
【０００７】
そのため、水洗い等した大型や小型のフード無し衣類に加えて、水洗い等したフード付き衣類を自然乾燥等させる際には、上記２種類の異なるハンガーを用意しなければならなかった。そして、その分、ハンガーの調達費用が嵩んだ。
【０００８】
また、その水洗い等した大型や小型のフード無し衣類や、フード付き衣類の一方を自然乾燥等させる際には、上記２種類の異なるハンガーのいずれか一方のハンガーは、使用されずに、そのまま無駄に放置されることが多かった。
【０００９】
本発明は、斯かる実情に鑑みて開発されたものであって、水洗い等した大型や小型のフード無し衣類を自然乾燥等させる際に利用できると共に、水洗い等したフード付き衣類を自然乾燥等させる際にも有効利用できる、両者兼用の多機能ハンガーを提供しようとするものである。
【課題を解決するための手段】
【００１０】
本発明の多機能ハンガーには、中央から上方に伸びる掛け止め具と、中央から左右に伸びる腕部とを有するハンガー本体の左右の腕部に沿って、スライダーがそれぞれ独立させてスライド可能に備えられている。そして、そのスライダーの外端を、腕部先方に所定長さ突出させたり、腕部先端とほぼ同じ位置か又はそれよりも内側に引っ込めたりさせることができる。そして、その伸縮調整した左右の腕部とそれに備えられたスライダーとの組み合わせ部分に、大型や小型のフード無し衣類を、その肩部に皺を生じさせずに、適度に引き伸した状態にして、吊り下げることができる。
【００１１】
また、本発明の多機能ハンガーには、スライダーをハンガー本体上方に起立させたり、その起立させたスライダーをハンガー本体方向に倒して、ハンガー本体の腕部に沿ってスライド可能な状態に復帰させたりするスライダー起立手段が備えられている。そして、フード付き衣類をハンガーに吊り下げる際には、スライダー起立手段を用いて、スライダーを、ハンガー本体上方に起立させた状態とすることができる。そして、その起立させたスライダーに、フードを押し広げた状態にして引き掛けることができる。そして、そのフードが衣類の肩部に重なり合わないようにして、フード付き衣類をハンガー本体に吊り下げることができる。他方、大型や小型のフード無し衣類をハンガーに吊り下げる際には、スライダーを、ハンガー本体方向に倒して、ハンガー本体の腕部に沿ってスライド可能な状態に復帰させることができる。そして、そのスライダーに邪魔されずに、上述のようにして、スライダーの外端を、腕部先方に所定長さ突出させたり、腕部先端とほぼ同じ位置か又はそれよりも内側に引っ込めたりできる。そして、その伸縮調整した左右の腕部とそれに備えられたスライダーとの組み合わせ部分に、大型や小型の衣類を、その肩部に皺を生じさせずに、適度に引き伸した状態にして、吊り下げることができる。
【００１２】
本発明の多機能ハンガーにおいては、スライダー起立手段を用いて、スライダーをハンガー本体上方に起立させた状態において、そのスライダーをハンガー本体上方に起立させた状態に離脱可能に保持するスライダー保持手段が備えられている。そして、そのスライダー保持手段を用いて、スライダー起立手段によりハンガー本体上方に起立させた状態としたスライダーが、それに引き掛けられたフードに押されて、ハンガー本体方向に倒れるのを、防ぐことができる。そして、そのスライダーに引き掛けられたフードが、ハンガー本体に吊り下げられた衣類の肩部に重なり合うのを、防ぐことができる。
【発明の効果】
【００１３】
本発明の多機能ハンガーによれば、水洗い等した大型や小型のフード無し衣類を自然乾燥等させる際に、有効利用できる。それと共に、水洗い等したフード付き衣類を自然乾燥等させる際にも、有効利用できるという優れた効果がある。
【図面の簡単な説明】
【００１４】
【図１】本発明のハンガーの正面図である。
【図２】本発明のハンガーの使用状態説明図である。
【図３】本発明のハンガーの使用状態説明図である。
【図４】本発明のハンガーの一部拡大構造説明図である。
【図５】本発明のハンガーの一部拡大構造説明図である。
【発明を実施するための形態】
【００１５】
図１〜図５は、本発明の多機能ハンガーの好適な実施の形態を示している。以下に、この多機能ハンガーを説明する。
【００１６】
このハンガーには、図１に示されたように、中央から上方に伸びる掛け止め具１０と、中央から左右に伸びる腕部２０とを有するハンガー本体３０が備えられている。掛け止め具１０は、上端にフック１２を持つ棒状をしていて、ワイヤを曲げて形成されている。左右の腕部２０は、横に長いほぼ帯状をしていて、その内端同士が、山型状をした中央連結部２２を介して、一連に連結されている。左右の腕部２０及び中央連結部２２は、プラスチックを用いて、一体成形されている。掛け止め具１０下端は、中央連結部２２に差し込まれて抜け出ぬように係止されている。そして、掛け止め具１０が、その中央連結部２２から上方に垂直に起立した状態で伸びている。
【００１７】
左右の腕部２０に沿っては、横長のスライダー５０が、それぞれ独立させてスライド可能に備えられている。スライダー５０は、その断面がコの字状をしていて、図５に示されたように、腕部２０の上端周囲を覆うようにして、その腕部の肩２４に沿ってスライド可能に係止されている。
【００１８】
断面がコの字状をしたスライダー５０の内端空間には、図５に示されたように、軸棒６０が架け渡されていて、その軸棒６０中途部が、腕部中央の横長の穴２６に挿通、係止されている。そして、スライダー５０を腕部の肩２４に沿ってスライドさせると共に、そのスライダー内端空間に架け渡された軸棒６０を腕部中央の穴２６に沿ってスライドさせて、スライダー５０を腕部２０に沿って左右にスライドさせる構造をしている。その際には、スライダー内端空間に架け渡された軸棒６０を腕部中央の穴２６に係止させて、スライダー５０が腕部の肩２４から脱落するのを防ぐ構造をしている。
【００１９】
また、スライダー５０内端空間に架け渡されて、腕部中央の穴２６に挿通、係止された軸棒６０は、スライダー５０を、図３及び図４に示されたように、その内端を中心に回転させて、ハンガー本体３０上方に起立させたり、その起立させたスライダー５０を、その内端を中心に回転させて、ハンガー本体３０方向に倒して、ハンガー本体の腕部２０に沿ってスライド可能な状態に復帰させたりするスライダー起立手段７０を構成している。このスライダー起立手段７０によれば、腕部の肩２４に沿って係止されたスライダー５０の外端側を、そのスライダー５０の内端空間に架け渡されて腕部中央の穴２６に挿通、係止された軸棒６０を中心に、腕部の肩２４から離脱させて、ハンガー本体３０上方に回転させて起立させることができる。また、その起立させたスライダー５０の外端側を、図５に示されたように、そのスライダー５０の内端空間に架け渡されて腕部中央の穴２６に挿通、係止された軸棒６０を中心に、ハンガー本体３０方向に回転させて倒して、その断面コの字状をしたスライダー５０を、ハンガー本体の腕部２０上端に被せることができる。そして、そのスライダー５０を腕部の肩２４に沿ってスライド可能な状態に係止させることができる。
【００２０】
図１〜図５に示されたハンガーは、以上のように構成されていて、このハンガーによれば、その掛け止め具上端のフック１２を竿等に掛けて、掛け止め具１０下端に係止されたハンガー本体３０を、竿等に吊り下げることができる。
【００２１】
このハンガーに大型や小型のフード無し衣類を吊り下げる際には、図２に示されたように、スライダー５０を、腕部の肩２４に沿ってスライドさせると共に、そのスライダー内端空間に架け渡された軸棒６０を腕部中央の横長の穴２６に沿ってスライドさせる。そして、スライダー５０を腕部２０に沿って左右にスライドさせる。その際には、スライダー内端空間に架け渡された軸棒６０を腕部中央の穴２６に係止させて、スライダー５０が腕部の肩２４から脱落するのを防ぐ。そして、そのスライダー５０の外端を、衣類の肩幅に合わせて、腕部２０先方に所定長さ突出させたり、腕部２０先端とほぼ同じ位置か又はそれよりも内側に引っ込めたりする。そして、その伸縮調整した左右の腕部２０とそれに備えられたスライダー５０との組み合わせ部分に、大型や小型のフード無し衣類を、その肩部に皺を生じさせずに、適度に引き伸した状態にして、掛けて吊り下げる。
【００２２】
また、フード付き衣類をハンガーに吊り下げる際には、図３に示されたように、スライダー５０の外端側を、そのスライダー５０の内端空間に架け渡されて腕部中央の穴２６に挿通、係止された軸棒６０を中心に、腕部の肩２４から離脱させて、ハンガー本体３０上方に回転させて起立させる。そして、そして、その起立させたスライダー５０に、図３に示されたように、フード８２を押し広げた状態にして引き掛ける。そして、そのフード８２が衣類の肩部８４に重なり合わないようにして、フード付き衣類８０をハンガー本体３０に吊り下げる。
【００２３】
他方、大型や小型のフード無し衣類をハンガーに吊り下げる際には、その起立させたスライダー５０の外端側を、図１と図５に示されたように、そのスライダー５０の内端空間に架け渡されて腕部中央の穴２６に挿通、係止された軸棒６０を中心に、ハンガー本体３０方向に回転させて倒して、その断面コの字状をしたスライダー５０を、ハンガー本体の腕部２０上端に被せた状態とする。そして、そのスライダー５０を腕部の肩２４に沿って係止させて、そのスライダー５０を腕部２０に沿ってスライド可能な状態に復帰させる。そして、そのスライダー５０がハンガー本体３０に吊るす衣類の邪魔にならないようにする。次いで、そのハンガー本体の左右の腕部２０とその腕部上端に被せたスライダー５０との組み合わせ部分に衣類の肩部を掛けて吊るす。また、その吊るす衣類が大型や小型の場合は、図２に示されたように、スライダー５０の外端を、その衣類の肩幅に合わせて、腕部２０先方に所定長さ突出させたり、腕部２０先端とほぼ同じ位置か又はそれよりも内側に引っ込めたりする。そして、その伸縮調整した左右の腕部とそれに備えられたスライダー５０との組み合わせ部分に、大型や小型の衣類を、その肩部に皺を生じさせずに、適度に引き伸した状態にして、吊るす。
【００２４】
このハンガーには、スライダー起立手段７０によりスライダー５０を回転させてハンガー本体３０上方に起立させた状態において、そのスライダー５０をハンガー本体３０上方に起立させた状態に離脱可能に保持するスライダー保持手段９０が備えられている。スライダー保持手段９０は、図４に示されたように、スライダー５０をハンガー本体３０上方に起立させた状態において、そのスライダーの内端空間に架け渡された軸棒６０を、腕部中央の穴２６の内端側の腕部部分に腕部中央の穴２６に連通させて設けられた係止穴２８に離脱可能に係止させると共に、スライダー５０の内端側のスライダー天井壁部分に設けられた切り欠き溝５２内側に、ハンガー本体の中央連結部２２側縁を挟み込んで離脱可能に係止させる構造をしている。そして、そのハンガー本体３０上方に起立させた状態としたスライダー５０が、それに引き掛けられたフード８２に押されて、ハンガー本体３０方向に回転して倒れるのを、防ぐ構造をしている。そして、そのスライダー５０に引き掛けられたフード８２が、ハンガー本体３０に吊り下げられた衣類の肩部８４に重なり合うのを、防げるようにしている。
【産業上の利用可能性】
【００２５】
本発明の多機能ハンガーは、大型や小型のフード無し衣類や、フード付き衣類を、皺を生じさせないようにして、クローゼット等に吊り下げて収納する際にも利用することができる。
【符号の説明】
【００２６】
１０  掛け止め具
１２  フック
２０  腕部
２２  中央連結部
２４  腕部の肩
２６  腕部中央の穴
２８  係止穴
３０  ハンガー本体
５０  スライダー
５２  切り欠き溝
６０  軸棒
７０  スライダー起立手段
８０  衣類
８２  フード
８４  衣類の肩部
９０  スライダー保持手段